(57)【要約】      （修正有）【課題】構造が簡単で操作しやすく、しかも、傘とステッキの長さを調整する機能を備えた伸縮ステッキ傘を提供する。【解決手段】ステッキと傘とからなる。ステッキは取っ手２１と支持バーとからなり、取っ手と支持バーの間には動作阻止部２３と伸縮部３０とスライドカバー４０が設けられ、支持バーと伸縮部の間にはカバー体が設けられ、傘の傘バーの上端には柄部が設けられ、柄部の端部にはラッパ口が設けられる。ステッキの取っ手内には内孔２１１が設けられ、動作阻止部の下端は小さい直径の柱体２３２を形成し、柱体下端部にはカバー環状部２３１及び複数の孔部２３３が設けられる。伸縮部には、複数の内部環状溝が設けられ、スライドカバー内の上端は上収容室を形成し下端は下収容室を形成し、上収容室はバネ３４が設けられる収容空間を形成し、下収容室には、動作阻止部の孔部と同じ位置のボール３３が設けられ、ボールは弧形環状溝３１に進入する。【選択図】図４
0003180677.tif 000002
【実用新案登録請求の範囲】
【請求項１】
ステッキと傘とからなる伸縮ステッキ傘であって、ステッキは、主に、取っ手と支持バーとからなり、取っ手と支持バーの間には、動作阻止部及び伸縮部及びその間でスライドするスライドカバーが設けられ、支持バーと伸縮部の間には、大きめのカバー体が設けられ、傘は傘バーを備え、傘バーの上端には柄部が設けられ、柄部の端部には、カバー体を入れられるラッパ口が設けられ、
前記ステッキの取っ手内には内孔が設けられ、前記内孔には伸縮部が進入し、内孔の端口には、中空の動作阻止部が設けられ、動作阻止部の下端は小さい直径の柱体を形成し、柱体下端部には、順番に、カバー環状部及び複数の孔部が設けられ、複数の孔部は、カバー環状部上方に設けられ、
伸縮部には、複数の内部環状溝が設けられ、伸縮部の上端は、取っ手の内孔内に入れられ、
スライドカバー内の上端は上収容室を形成し、スライドカバー内の下端は、大きめの空間の下収容室を形成し、二つの収容室の間は、内凸リングで隔離され、前記下収容室は、伸縮部のカバー環状部と孔部間の位置に配置され、上収容室は、おおよそ、動作阻止部及び小さめの直径の柱体の位置に配置されて、収容空間を形成し、前記収容空間には、バネが設けられ、バネは、スライドカバーの内凸リング上に配置され、下収容室には、動作阻止部の孔部と同じ位置のボールが設けられ、ボールは弧形環状溝に進入して位置が固定されることを特徴とする、伸縮ステッキ傘。
【請求項２】
前記小さめの直径の柱体の孔部の孔の外は、内錐状を形成することを特徴とする、請求項１に記載の伸縮ステッキ傘。
【考案の詳細な説明】
【技術分野】
【０００１】
本考案はステッキと傘を結合した伸縮ステッキ傘に関し、特に伸縮させて長さを調整して使用することができるとともに、構造が簡単で操作しやすい伸縮ステッキ傘に関する。
【背景技術】
【０００２】
傘の元々の設計は、雨を遮り太陽を避けることが主であるため、杖で支えてバランスを保つ機能は有していない。その後、一本で兼用できるように、傘と杖の機能を一体に結合させた傘が考案されている。現在、市場には、何種類もの型式のステッキ傘があり、あるものは、手で握るのに便利なステッキヘッドが傘に設けられ、あるものは、さらに独創性がありステッキヘッドの高さをニーズに応じて調整できるようになっている。これらの設計によって、傘と杖の兼用機能を持つ用具を一般の人に提供できるようになった。
【０００３】
しかしながら、使用者の背の高さは一定ではなく、背の高い人もいれば背の低い人もいる。そうであるのにかかわらず、現在のステッキ傘は、いずれも長さが固定されており、様々な身長の高さに応対応することができない。或いは、長さを調整できたとしても、調整に強い力が必要であり、しかも、ひっかかってしまう等の欠点もあり、実用性をもつまでには至っていない。
【考案の概要】
【考案が解決しようとする課題】
【０００４】
本考案は、構造が簡単で操作しやすく、しかも、傘とステッキの長さを調整する機能を備えた伸縮ステッキ傘を提供することを目的とする。
【課題を解決するための手段】
【０００５】
本考案による伸縮ステッキ傘は、ステッキを傘の傘バー内に配置させてなる。ステッキは、主に、取っ手と支持バーとからなり、取っ手と支持バーの間には動作阻止部及び伸縮部及びスライドカバーが設けられ、支持バーと伸縮部の間には、大きめのカバー体が設けられ、傘における傘バーの上端には柄部が設けられ、柄部の端部には、カバー体を入れられるラッパ口が設けられる。
【０００６】
また、内孔の端口には、中空の動作阻止部が設けられ、動作阻止部の下端は小さい直径の柱体を形成し、柱体の端部に近い箇所には、順番に、カバー環状部及び複数の孔部３が設けられ、複数の孔部は、カバー環状部上方に設けられ、伸縮部には、複数の内部環状溝が設けられ、伸縮部の下端はカバー体であり、上端は取っ手の内孔内に進入する。スライドカバーは、伸縮部を取っ手に出し入れするための部材であり、スライドカバー内の上端は上収容室を形成し、下端は、大きめの空間の下収容室を形成し、二つの容室の間は、内凸リングで隔離され、前記下収容室は、伸縮部のカバー環状部と孔部の位置に配置され、上収容室は、おおよそ、小さめの直径の柱体及び動作阻止部の位置に配置され、収容空間を形成する。スライドカバーの内凸リングにはバネが設けられ、バネは、柱体及び上収容室間の収容空間内に配置され、下収容室には、孔部と同数且つ同じ位置のボールが設けられ、ボールは、カバー環状部と内凸リングに係止されて孔部にとどまり、弧形環状溝に進入して位置が固定される。
【０００７】
また、ボールをスムーズに弧形環状溝内に進入させるため、小さめの直径の柱体の孔部の孔の外に、内錐状を形成させている。それにより、ボールをスムーズに滑らせることができる。
【考案の効果】
【０００８】
本考案の伸縮ステッキ傘は、力を軽くいれるだけで操作できる特徴を兼ね備えている。手で取っ手を握り、指を下に向けてスライドカバーを掴んで上に移動させると、簡単に傘の長さを制御することができ、スライドカバーを放すと、所定の長さに固定して使用することができる。
【図面の簡単な説明】
【０００９】
【図１】本考案の傘の実施例を示した概略図である。
【図２】本考案の実施例の傘とステッキを分離させた状態を示した概略図である。
【図３】本考案の実施例の傘の柄部とステッキの取っ手の結合を示した説明図である。
【図４】本考案のステッキのスライドカバーと伸縮部の構造を示した説明図である。
【図５】本考案のステッキのスライドカバーと伸縮部の動作を示した説明図である。
【図６】本考案の脚パッドと、ステッキ及び傘の結合を示した説明図である。
【考案を実施するための形態】
【００１０】
図１と図２に示すように、本考案「伸縮ステッキ傘」の構造において、ステッキ２０は、傘１０の傘バー１３内に配置される。ステッキ２０は、主に、取っ手２１と支持バー２２からなり、取っ手２１と支持バー２２の間には動作阻止部２３及び伸縮部３０及びスライドカバー４０が設けられ、支持バー２２と伸縮部３０の間には、大きめのカバー体３２が設けられ、傘１０における傘バーの上端には柄部１２が設けられ、柄部１２の端部には、カバー体３２を入れられるラッパ口１４が設けられる。
【００１１】
図３と図４に示すように、ステッキ２０の取っ手２１内には内孔２１１が設けられ、この内孔２１１には伸縮部３０が進入し、内孔２１１端口には中空の動作阻止部２３が設けられ、動作阻止部２３下端は、小さい直径の柱体２３２を形成し、柱体２３２の端部に近い箇所には、順番に、カバー環状部２３１及び複数の孔部２３３が設けられ、複数の孔部２３３は、カバー環状部２３１の上方に設けられる。  
【００１２】
また、伸縮部３０には、複数の内部環状溝３１が設けられ、伸縮部３０の下端はカバー体３２であり、伸縮部３０の上端は、取っ手２１内孔２１１内に入れられる。
【００１３】
スライドカバー４０は、伸縮部３０を取っ手２１に出し入れするのを制御する部材であり、伸縮部３０と動作阻止部２３の間に設けられる。スライドカバー４０内の上端は上収容室４１を形成し、下端は、大きめの空間の下収容室４２を形成し、二つの収容室の間は、内凸リング４３で隔離され、下収容室４２は、伸縮部３０のカバー環状部２３１と孔部２３３の位置に配置される。また、上収容室４１は、大体、小さめの直径の柱体３２３及び動作阻止部２３の位置に配置され、収容空間２４を形成する。スライドカバーの内凸リング４３にはバネ３４が設けられ、バネ３４は、柱体３２２及び上収容室４１間の収容空間２４内に配置され、下収容室４２には、孔部２３３と同数且つ同じ位置のボール３３が設けられ、ボール３３は、カバー環状部２３１と内凸リング４３に係止されて孔部２３３にとどまり、弧形環状溝３１に進入して位置が固定される。
【００１４】
図４、図５に示すように、本考案を調整する時は、取っ手２１を手で握り、指を下に向けスライドカバー４０を掴んで上に移動させると、内凸リング４３が上に移動し、ボール３３に対する係止が外れ、バネ３４は圧縮すると同時に、下収容室４２が上に移動する。それにより、ボール３３が孔部２３３から滑り出てきて、カバー環状部２３１の制限を受けて下収容室４２にとどまる。この時、図５に示すように、ニーズに応じて伸縮部３０を調整し、取っ手２１の内孔２１１に出し入れすることができ、長さが確定した時に、スライドカバー４０を放すと、図４に示すように、スライドカバー４０の上収容室４１は、バネ３４の回復力を受けて、内凸リング４３を下に移動させ、下収容室４２空間を圧縮する。それにより、内凸リング４３とカバー環状部２３１が、ボール３３を所定の弧形環状溝３１の孔部２３３内に進入させて、位置を固定させることができる。
【００１５】
また、ボール３３をスムーズに弧形環状溝３１内に進入させるため、小さめの直径の柱体２３２の孔部２３３の孔の外に（図５に図示）、内錐状２３４を形成させている。それにより、ボール３３をスムーズに滑らせることができる。
【００１６】
また、本考案による伸縮ステッキ傘の前記傘バー柄部１２端口のラッパ口１４と、伸縮部３０のカバー体３２の嵌め込みは、一定の密着度をもつため、ステッキ２０の長さを調整した時、傘も一緒に動作させることができる。以上の構造により、本考案は、様々な長さで使用できる機能を備える。
【００１７】
また、本考案は、傘１０及びステッキ２０に脚パッド１６を設けて使用することができる。図６に示すように、脚パッド１６には収容空間１６１が設けられ、収容空間１６１内にはネジロッド１６２が設けられ、それに対して、傘バー１３及び支持バー２２底端には内ネジ山１５、２２１が設けられる。それにより、ステッキ或いは傘の使用ニーズに応じて脚パッドを換えて使用することができる。
【符号の説明】
【００１８】
１０    傘            
１２    柄部              
１３    傘バー  
１４    ラッパ口              
１５    内ネジ山        
１６    脚パッド
１６１  収容空間    
１６２  ネジロッド            
２０    ステッキ  
２１    取っ手              
２１１  内孔            
２２    支持バー    
２３    動作阻止部          
２３１  カバー環状部        
２３２  柱体
２４    収容空間      
３０    伸縮部          
３１    弧形環状溝
３２    カバー体              
３３    ボール              
３４    バネ
４０    スライドカバー              
４１    上収容室          
４２    下収容室
４３    内凸リング          
２３３  孔部            
２３４  内錐状
２２１  内ネジ山
【図１】
0003180677.tif 000003
【図２】
0003180677.tif 000004
【図３】
0003180677.tif 000005
【図４】
0003180677.tif 000006
【図５】
0003180677.tif 000007
【図６】
0003180677.tif 000008